(57)【特許請求の範囲】
【請求項１】
柱と床梁と天井梁を箱形に接合した建物ユニットを地盤上にて隣接設置して構築されるユニット建物において、
複数の建物ユニットのそれぞれに少なくとも１個の柱省略コーナー部と、該柱省略コーナー部に交差する床梁切除部とを定め、
複数の建物ユニットの柱省略コーナー部を柱省略接合部にて互いに突き合せ配置し、
各建物ユニットの床梁切除部の側傍部分のジョイントピースを、これらの床梁切除部間の下方に連続して設けられている地中梁にアンカーボルトによりそれぞれ固定して接続し、
柱省略接合部の一方側の建物ユニットの天井梁側から、他方側の建物ユニットの天井梁側に渡る補強梁を隣接ユニット間隙に設け、
補強梁の両端部は、柱省略接合部の一方側の建物ユニットの柱まわりと、柱省略接合部の他方側の建物ユニットの柱まわりのそれぞれに接続され、補強梁の中央部には、複数の建物ユニットの各柱省略コーナー部が接続されてなることを特徴とするユニット建物。
【請求項２】
前記建物ユニットが、柱省略コーナー部では、相交差する天井梁をジョイントピースにより短柱に接合し、短柱の下部に仮柱を着脱自在に接合し、床梁切除部では、相対する柱と仮柱の間に仮床梁を着脱自在に架け渡してなる請求項１記載のユニット建物。
【請求項３】
請求項１又は２に記載のユニット建物の構築方法であって、
柱が省略され、床梁が切除される建物ユニットとして、柱省略コーナー部に仮柱を着脱自在とし、床梁切除部にジョイントピースを介して仮床梁を着脱自在としてなるものを用い、
建物ユニットを前記地中梁に前記ジョイントピースをアンカーボルトで固定することにより接続するまでは仮床梁を設けておき、前記地中梁の接続完了後に仮床梁を取外し、
建物ユニットに補強梁を接続完了するまでは仮柱を設けておき、補強梁の接続完了後に仮柱を取外すことを特徴とするユニット建物の構築方法。
【発明の詳細な説明】
【０００１】
【発明の属する技術分野】
本発明は自動車のガレージ等を構成するに好適なユニット建物とその構築方法に関する。
【０００２】
【従来の技術】
従来、ガレージ付ユニット建物として、特開平9-165823号公報に記載の如く、複数の相隣る建物ユニットにまたがってガレージを形成したものがある。このユニット建物は、図１０（Ｂ）に示す如く、ガレージの出入口を形成する建物ユニットの出入口部で床梁を切除するとともに、相隣る建物ユニットのガレージ内に位置する床梁を切除し、広いガレージスペースを確保するものである。
【０００３】
【発明が解決しようとする課題】
しかしながら、従来技術では、ガレージを構成するように相隣る建物ユニットが柱を無くするものではないから、ガレージスペースの形状の選定、ガレージスペースの拡大に制限がある。
【０００４】
本発明の課題は、複数の建物ユニットに渡り、地盤と同一レベルの床面を持つ大空間を形成することにある。
【０００５】
【課題を解決するための手段】
請求項１に記載の本発明は、柱と床梁と天井梁を箱形に接合した建物ユニットを地盤上にて隣接設置して構築されるユニット建物において、複数の建物ユニットのそれぞれに少なくとも１個の柱省略コーナー部と、該柱省略コーナー部に交差する床梁切除部とを定め、複数の建物ユニットの柱省略コーナー部を柱省略接合部にて互いに突き合せ配置し、各建物ユニットの床梁切除部の側傍部分のジョイントピースを、これらの床梁切除部間の下方に連続して設けられている地中梁にアンカーボルトによりそれぞれ固定して接続し、柱省略接合部の一方側の建物ユニットの天井梁側から、他方側の建物ユニットの天井梁側に渡る補強梁を隣接ユニット間隙に設け、補強梁の両端部は、柱省略接合部の一方側の建物ユニットの柱まわりと、柱省略接合部の他方側の建物ユニットの柱まわりのそれぞれに接続され、補強梁の中央部には、複数の建物ユニットの各柱省略コーナー部が接続されてなるようにしたものである。
【０００６】
請求項２に記載の本発明は、請求項１に記載の本発明において更に、前記建物ユニットが、柱省略コーナー部では、相交差する天井梁をジョイントピースにより短柱に接合し、短柱の下部に仮柱を着脱自在に接合し、床梁切除部では、相対する柱と仮柱の間に仮床梁を着脱自在に架け渡してなるようにしたものである。
【０００７】
請求項３に記載の本発明は、請求項１又は２に記載のユニット建物の構築方法であって、柱が省略され、床梁が切除される建物ユニットとして、柱省略コーナー部に仮柱を着脱自在とし、床梁切除部にジョイントピースを介して仮床梁を着脱自在としてなるものを用い、建物ユニットを前記地中梁に前記ジョイントピースをアンカーボルトで固定することにより接続するまでは仮床梁を設けておき、前記地中梁の接続完了後に仮床梁を取外し、建物ユニットに補強梁を接続完了するまでは仮柱を設けておき、補強梁の接続完了後に仮柱を取外すようにしたものである。
【０００８】
【作用】
請求項１の発明によれば下記▲１▼、▲２▼の作用がある。
▲１▼ユニット建物を構成する複数の建物ユニットは、柱省略コーナー部と、この柱省略コーナー部に交差する床梁切除部とを備え、この柱省略コーナー部を柱省略接合部にて互いに突き合せ配置した。従って、柱省略接合部を中心として、複数の建物ユニットに渡り、地盤と同一レベルの床面を持つ大空間を形成できる。
【０００９】
▲２▼ユニット建物は、柱省略接合部の両側の建物ユニットにおいて、各建物ユニットの床梁切除部の側傍部分を地中梁に接続するとともに、両建物ユニットの天井梁に連続して添設される補強梁を備えた。従って、両建物ユニットは、それらの互いに相対する柱と、両柱の上端部間に渡る補強梁と、両柱の下端部間に渡る地中梁とで、柱省略接合部を含んで両建物ユニットに渡る閉断面ラーメンフレームを形成するものとなり、柱と床梁を無くした大空間を形成しながら、建物の構造強度を確保できる。
【００１０】
請求項２、３の発明によれば下記▲３▼の作用がある。
▲３▼建物ユニットに仮柱、仮床梁を設けた。建物ユニットの工場生産段階、輸送保管段階を経た現地据付け後、地中梁、補強梁の接続完了まで、それらの仮床梁、仮柱を取外さないことにより、施工段階までの建物ユニットの強度を十分に確保でき、施工性と建物品質を向上できる。
【００１１】
【発明の実施の形態】
図１はユニット建物を示す正面図、図２は標準建物ユニットを示す斜視図、図３は柱省略建物ユニットを示し、（Ａ）は柱を省略し床梁を切除した建物ユニットを示す斜視図、（Ｂ）は仮柱と仮床梁を設けた建物ユニットを示す斜視図、図４は柱省略建物ユニットを地中梁に接続した状態を示し、（Ａ）は斜視図、（Ｂ）はB‐B線に沿う断面図、（Ｃ）はC−C線に沿う断面図、図５は柱省略建物ユニットに補強梁を接続する過程を示す斜視図、図６は補強梁を示し、（Ａ）は正面図、（Ｂ）は側面図、図７は補強梁の接続状態を示す正面図、図８は補強梁の端部接続構造を示す斜視図、図９は補強梁の中央部接続構造を示す斜視図、図１０はガレージ付ユニット建物の要部を示し、（Ａ）は本発明の構成を示す平面図、（Ｂ）は従来例の構成を示す平面図、図１１はガレージ付ユニット建物の変形例を示す平面図、図１２はガレージ付ユニット建物の他の変形例を示す平面図である。
【００１２】
ガレージ付ユニット建物１０は、図１、図１０（Ａ）に示す如く、工場生産した複数の標準建物ユニット１１、４個の柱省略建物ユニット１２Ａ〜１２Ｄを建築現場に輸送し、地盤１の上に予め設置してある基礎１３の上にて水平、鉛直方向に隣接設置して下階部分１０Ａ、上階部分１０Ｂが構築される。
【００１３】
標準建物ユニット１１は、図２に示す如く、４本の角鋼管製柱２１と、４本の型鋼製床梁２２と、４本の型鋼製天井梁２３とを箱形に接合した骨組構造体である。建物ユニット１１は、４個のコーナー部で、相交差する床梁２２をジョイントピース２２Ａにより柱２１の下端部に接続し、相交差する天井梁２３をジョイントピース２３Ａにより柱２１の上端部に接合して構成される。
【００１４】
柱省略建物ユニット１２Ａは、図３に示す如く、標準建物ユニット１１の４本の柱２１のうちの１本の柱２１を省略した１つの柱省略コーナー部４１Ａと、標準建物ユニット１１の４本の床梁２２のうちで上述の柱省略コーナー部４１Ａに交差する２本の床梁２２を切除した２つの床梁切除部４２Ａと、ユニット建物１０のガレージ１００の出入口部１０１で床梁２２を切除した１つの床梁切除部４２Ｂとを有する。
【００１５】
柱省略建物ユニット１２Ａは、柱省略コーナー部４１Ａでは、相交差する天井梁２３をジョイントピース２３Ａにより短柱２４に接合し、短柱２４の下部に仮柱２５を着脱自在に接合している。また、柱省略建物ユニット１２Ａは、床梁切除部４２Ａでは、相対する柱２１のジョイントピース２２Ａと仮柱２５の間に仮床梁２６を着脱自在に架け渡している。また、柱省略建物ユニット１２Ａは、床梁切除部４２Ｂでは、相対する一方の柱２１のジョイントピース２２Ａと他方の柱２１のジョイントピース２２Ａとの間に仮床梁２７を着脱自在に架け渡している。仮柱２５、仮床梁２６、２７は、ボルトとナット等の着脱手段により着脱自在とされる。
【００１６】
柱省略建物ユニット１２Ｂ〜１２Ｄは、標準建物ユニット１１の４本の柱２１のうちの１本の柱２１を省略した１つの柱省略コーナー部４１Ａと、標準建物ユニット１１の４本の床梁２２のうちで上述の柱省略コーナー部４１Ａに交差する２本の床梁２２を切除した２つの床梁切除部４２Ａとを有する。柱省略建物ユニット１２Ｂ〜１２Ｄは、柱省略コーナー部４１Ａ、床梁切除部４２Ａにおいてそれぞれ仮柱２５、仮床梁２６を備える点で、柱省略建物ユニット１２Ａと実質的に同一である。
【００１７】
しかるに、ユニット建物１０は、下階部分１０Ａの一部にて、図１０（Ａ）に示す如く、４個の柱省略建物ユニット１２Ａ〜１２Ｄそれぞれの柱省略コーナー部４１Ａを柱省略接合部１４にて互いに突き合せ配置し、地盤１と同一レベルの床面を持つ大空間のガレージ１００を形成するため、下記(A) 各建物ユニット１２Ａ〜１２Ｄの床梁切除部４２Ａ、４２Ｂの側傍部分の地中梁２８との接続構造、(B) 建物ユニット１２Ａ〜１２Ｄの柱省略接合部１４の補強梁３０による補強構造を採用している。
【００１８】
(A) 各柱省略建物ユニット１２Ａ〜１２Ｄの床梁切除部４２Ａ、４２Ｂの側傍部分の地中梁２８との接続構造（図４）
柱省略建物ユニット１２Ａは、基礎１３の上に据付けられた状態で、床梁２２のジョイントピース２２Ａを基礎１３のアンカーボルト１３Ａに固定されるとともに、床梁切除部４２Ａ、４２Ｂの側傍部分であるジョイントピース２２Ａをそれらの床梁切除部４２Ａ、４２Ｂに対応して設けられている地中梁２８の両側で、基礎１３のアンカーボルト１３Ａに固定される。地中梁２８は、基礎１３の一部においてその上面レベルを地中に設定されたものであり、基礎１３の全長に渡る鉄筋１３Ｂも備えて基礎１３の一部を構成する。従って、柱省略建物ユニット１２Ａは、床梁切除部４２Ａ、４２Ｂの側傍部分であるジョイントピース２２Ａを基礎１３に固定され、結果として地中梁２８に接続されるものとなる。図４（Ａ）は柱省略建物ユニット１２Ａの床梁切除部４２Ｂの側傍部分であるジョイントピース２２Ａを基礎１３に固定した状態を示すものであるが、柱省略建物ユニット１２Ａの床梁切除部４２Ａの側傍部分のジョイントピース２２Ａも基礎１３に固定されて地中梁２８に接続されるものとなる。
【００１９】
柱省略建物ユニット１２Ｂ〜１２Ｄも、柱省略建物ユニット１２Ａと同様に、床梁２２のジョイントピース２２Ａを基礎１３のアンカーボルト１３Ａに固定されるとともに、床梁切除部４２Ａの側傍部分であるジョイントピース２２Ａをそれらの床梁切除部４２Ａに対応して設けられている地中梁２８の上端で、基礎１３のアンカーボルト１３Ａに固定される。これにより、柱省略建物ユニット１２Ｂ〜１２Ｄも、床梁切除部４２Ａの側傍部分であるジョイントピース２２Ａを基礎１３に固定され、結果として地中梁２８に接続されるものとなる。
【００２０】
柱省略建物ユニット１２Ａ〜１２Ｄの床梁切除部４２Ａ、４２Ｂのジョイントピース２２Ａが基礎１３のアンカーボルト１３Ａに接続されて地中梁２８に接続されるとき、各柱省略建物ユニット１２Ａ〜１２Ｄの床梁切除部４２Ａ、４２Ｂには、柱２１のジョイントピース２２Ａと仮柱２５、又は相対する柱２１のジョイントピース２２Ａ同士に着脱自在の仮床梁２６、２７が未だ接続されている。そして、地中梁２８の接続完了後に、仮床梁２６、２７は取外される。
【００２１】
(B)  柱省略建物ユニット１２Ａ〜１２Ｄの柱省略接合部１４の補強梁３０による補強構造（図５〜図９）
４個の柱省略建物ユニット１２Ａ〜１２Ｄの柱省略接合部１４は、補強梁３０にて補強される。補強梁３０は、図６に示す如く、長尺板材からなり、図５、図７に示す如く、柱省略接合部１４の左右の一方側にて相隣る２個の建物ユニット１２Ａ、１２Ｂの天井梁２３、２３の間から、左右の他方側にて相隣る他の２個の建物ユニット１２Ｃ、１２Ｄの天井梁２３、２３の間に渡って設けられる。図４において、１５は下階天井板、１６は上階床板である。
【００２２】
補強梁３０の両端部は、図８に示す如く、柱省略接合部１４の左右の一方側にて相隣る２個の建物ユニット１２Ａ、１２Ｂの各柱２１と、柱省略接合部１４の他方側にて相隣る２個の建物ユニット１２Ｃ、１２Ｄの各柱２１のそれぞれに接続される。このとき、補強梁３０の両端部は、高力ボルト３１を用いた天井梁２３、ジョイントピース２３Ａとの高力ボルト接合（摩擦接合）を介して柱２１に接続される。
【００２３】
補強梁３０の中央部には、図９に示す如く、４個の建物ユニット１２Ａ〜１２Ｄの各柱省略コーナー部４１Ａが接続される。このとき、補強梁３０の中央部は、高力ボルト３２を用いた天井梁２３、ジョイントピース２３Ｂとの接合を介して短柱２４に接続される。
【００２４】
補強梁３０が上述の如くにて柱２１、短柱２４に接続されるとき、各建物ユニット１２の柱省略コーナー部には短柱２４に着脱自在の仮柱２５が未だ接合されている。そして、補強梁３０が柱２１、短柱２４に接続完了した後、仮柱２５は短柱２４から取外される。
【００２５】
尚、補強梁３０は、補強梁３０を挟んで相隣る２個の建物ユニット１２Ａ〜１２Ｄの相接する天井梁２３、２３と、ジョイントピース２３Ａ、２３Ｂのない部分でも、ボルト等を用いて接合されて良い。
【００２６】
以下、本実施形態の作用について説明する。
▲１▼ユニット建物１０を構成する複数の柱省略建物ユニット１２Ａ〜１２Ｄは、柱省略コーナー部４１Ａと、この柱省略コーナー部４１Ａに交差する床梁切除部４２Ａ、４２Ｂとを備え、この柱省略コーナー部４１Ａを柱省略接合部１４にて互いに突き合せ配置した。従って、柱省略接合部１４を中心として、複数の柱省略建物ユニット１２Ａ〜１２Ｄに渡り、地盤１と同一レベルの床面を持つ大空間のガレージ１００を形成できる。
【００２７】
▲２▼ユニット建物１０は、柱省略接合部１４の両側の柱省略建物ユニット１２Ａ〜１２Ｄにおいて、各柱省略建物ユニット１２Ａ〜１２Ｄの床梁切除部４２Ａ、４２Ｂの側傍部分を地中梁２８に接続するとともに、両柱省略建物ユニット１２Ａ〜１２Ｄの天井梁２３に連続して添設される補強梁３０を備えた。従って、両柱省略建物ユニット１２Ａ〜１２Ｄは、それらの互いに相対する柱２１と、両柱２１の上端部間に渡る補強梁３０と、両柱２１の下端部間に渡る地中梁とで、柱省略接合部１４を含んで両柱省略建物ユニット１２Ａ〜１２Ｄに渡る閉断面ラーメンフレームを形成するものとなり、柱２１と床梁を無くした大空間を形成しながら、建物の構造強度を確保できる。
【００２８】
▲３▼柱省略建物ユニット１２Ａ〜１２Ｄに仮柱２５、仮床梁２６、２７を設けた。柱省略建物ユニット１２Ａ〜１２Ｄの工場生産段階、輸送保管段階を経た現地据付け後、地中梁２８、補強梁３０の接続完了まで、それらの仮床梁２６、２７、仮柱２５を取外さないことにより、施工段階までの柱省略建物ユニット１２Ａ〜１２Ｄの強度を十分に確保でき、施工性と建物品質を向上できる。
【００２９】
図１１のユニット建物５０は、その一部に４個の柱省略建物ユニット５１Ａ〜５１Ｄの柱省略コーナー部を柱省略接合部にて互いに突き合せ配置し、ガレージ１００を構成したものである。柱省略建物ユニット５１Ａ、５１Ｃは長尺建物ユニット、柱省略建物ユニット５１Ｂ、５１Ｄは短尺建物ユニットであり、ガレージ１００の出入口部１０１の間口を広くとることができるようにしている。柱省略建物ユニット５１Ａは、ガレージ１００の出入口部１０１を構成するものであり、各３個の床梁切除部を備え、柱省略建物ユニット５１Ｂ〜５１Ｄは、各２個の床梁切除部を備える。ユニット建物５０にあっても、ユニット建物１０と同様に、各柱省略建物ユニット５１Ａ〜５１Ｄの床梁切除部の側傍部分（ジョイントピース２２Ａ）を地中梁に接続し、相隣る柱省略建物ユニット５１Ａ、５１Ｂの天井梁２３、２３の間から、相隣る柱省略建物ユニット５１Ｃ、５１Ｄの天井梁２３、２３の間に渡って設けられる補強梁を備える。尚、ユニット建物５０にあっても、ユニット建物１０において用いたと同様の仮柱、仮床梁が用いられる。
【００３０】
図１２のユニット建物６０は、その一部に、４個の柱省略建物ユニット６１Ａ〜６１Ｄと２個の建物ユニット６１Ｅ、６１Ｆを用い、柱省略建物ユニット６１Ａ〜６１Ｄの柱省略コーナー部を柱省略接合部にて互いに突き合せ配置し、ガレージ１００を構成したものである。柱省略建物ユニット６１Ａ、６１Ｂは、ガレージ１００の出入口部１０１を構成するものであり、各３個の床梁切除部を備え、柱省略建物ユニット６１Ｃ、６１Ｄは、建物ユニット６１Ｅ、６１Ｆとの連通路を構成し、各３個の床梁切除部を備える。建物ユニット６１Ｅ、６１Ｆは、柱省略建物ユニット６１Ｃ、６１Ｄとの連通路を形成するため、各１個の床梁切除部を備える。ユニット建物６０にあっては、ユニット建物１０と同様に、各柱省略建物ユニット６１Ａ〜６１Ｄ、各建物ユニット６１Ｅ、６１Ｆの床梁切除部の側傍部分（ジョイントピース２２Ａ）を地中梁に接続し、相隣る柱省略建物ユニット６１Ａ、６１Ｂの天井梁２３、２３の間から、相隣る柱省略建物ユニット６１Ｃ、６１Ｄの天井梁２３、２３の間に渡って設けられる補強梁を備える。尚、ユニット建物６０にあっても、ユニット建物１０において用いたと同様の仮柱、仮床梁が用いられる。
【００３１】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明のユニット建物が複数の建物ユニットに渡って形成する大空間は、ガレージの他、店舗、倉庫等としても利用できる。
【００３２】
【発明の効果】
以上のように本発明によれば、複数の建物ユニットに渡り、地盤と同一レベルの床面を持つ大空間を形成できる。
【図面の簡単な説明】
【図１】図１はユニット建物を示す正面図である。
【図２】図２は標準建物ユニットを示す斜視図である。
【図３】図３は柱省略建物ユニットを示し、（Ａ）は柱を省略し、床梁を切除した建物ユニットを示す斜視図、（Ｂ）は仮柱と仮床梁を設けた建物ユニットを示す斜視図である。
【図４】図４は柱省略建物ユニットを地中梁に接続した状態を示し、（Ａ）は斜視図、（Ｂ）はB-B線に沿う断面図、（Ｃ）はC-C線に沿う断面図である。
【図５】図５は柱省略建物ユニットに補強梁を接続する過程を示す斜視図である。
【図６】図６は補強梁を示し、（Ａ）は正面図、（Ｂ）は側面図である。
【図７】図７は補強梁の接続状態を示す正面図である。
【図８】図８は補強梁の端部接続構造を示す斜視図である。
【図９】図９は補強梁の中央部接続構造を示す斜視図である。
【図１０】図１０はガレージ付ユニット建物の要部を示し、（Ａ）は本発明の構成を示す平面図、（Ｂ）は従来例の構成を示す平面図である。
【図１１】図１１はガレージ付ユニット建物の変形例を示す平面図である。
【図１２】図１２はガレージ付ユニット建物の他の変形例を示す平面図である。
【符号の説明】
１  地盤
１０、５０、６０  ユニット建物
１１  標準建物ユニット
１２Ａ〜１２Ｄ、５１Ａ〜５１Ｄ、６１Ａ〜６１Ｄ  柱省略建物ユニット
１４  柱省略接合部
２１  柱
２２  床梁
２２Ａ、２３Ａ  ジョイントピース
２３  天井梁
２４  短柱
２５  仮柱
２６、２７  仮床梁
２８  地中梁
３０  補強梁
４１Ａ  柱省略コーナー部
４２Ａ、４２Ｂ  床梁切除部
【図１】
0004204714.tif 000002
【図２】
0004204714.tif 000003
【図３】
0004204714.tif 000004
【図４】
0004204714.tif 000005
【図５】
0004204714.tif 000006
【図６】
0004204714.tif 000007
【図７】
0004204714.tif 000008
【図８】
0004204714.tif 000009
【図９】
0004204714.tif 000010
【図１０】
0004204714.tif 000011
【図１１】
0004204714.tif 000012
【図１２】
0004204714.tif 000013